(57)【要約】【課題】  ＡＬＣパネルを敷設した後に取付金物を溶接固定することを可能とし、溶接作業のための足場が不要となり、高所作業の危険性を軽減するとともに、作業能率の向上を図ることができる屋根・床パネルの取付構造、取付方法及びそのための取付金物を提供する。【解決手段】  平坦な底部を有し、梁上に自立した状態で安定して載置可能な取付金物を使用し、ＡＬＣパネルを梁上に水平に敷き並べた後に、前記取付金物を建物駆体の梁に溶接固定し、再びＡＬＣパネルを敷設する作業を順次繰り返す。取付金物は、厚さ８ｍｍ以上２０ｍｍ以下、長さ３０ｍｍ以上の平鋼板からなり、高さと厚さの比が３以下であるのが好ましい。また、ナット部、ボルト部、貫通孔の内の少なくとも一つ以上を有していても良い。【選択図】    図２
2010275745.tif 000002
【特許請求の範囲】
【請求項１】
軽量気泡コンクリートパネルを建物駆体の梁上に水平に敷き並べ、梁に固定した取付金物を介して軽量気泡コンクリートパネルを梁に固定する取付構造に使用するための取付金物であって、平坦な底部を有し、以て梁上に自立した状態で安定して載置可能に構成してなることを特徴とするパネルの取付金物。
【請求項２】
前記取付金物が、厚さ８ｍｍ以上２０ｍｍ以下、長さが３０ｍｍ以上の平鋼板からなり、高さと厚さの比が３以下であることを特徴とする請求項１に記載のパネルの取付金物。
【請求項３】
前記取付金物が、ナット部、ボルト部、貫通孔の内の少なくとも一つ以上を有することを特徴とする請求項１または２に記載のパネルの取付金物。
【請求項４】
軽量気泡コンクリートパネルを梁上に水平に敷き並べ、建物駆体の梁に固定した取付金物を介して軽量気泡コンクリートパネルを梁に固定する取付構造であって、前記請求項１から３のいずれか１項に記載の平坦な底部を有し、梁上に自立した状態で安定して載置可能な取付金物を建物駆体の梁に溶接固定し、以て軽量気泡コンクリートパネルを挟持してなることを特徴とするパネルの取付構造。
【請求項５】
軽量気泡コンクリートパネルを梁上に水平に敷き並べ、建物駆体の梁に固定した取付金物を介して軽量気泡コンクリートパネルを梁に固定する取付構造であって、前記請求項３に記載の平坦な底部を有し、ナット部、ボルト部、貫通孔の内の少なくとも一つ以上を有し、梁上に自立した状態で安定して載置可能な取付金物を建物駆体の梁に溶接固定し、該取付金物に座金若しくは目地鉄筋を介して軽量気泡コンクリートパネルを挟持してなることを特徴とするパネルの取付構造。
【請求項６】
軽量気泡コンクリートパネルを建物駆体の梁上に水平に敷き並べ、該梁に固定した取付金物を介して軽量気泡コンクリートパネルを梁に固定するパネルの取付方法であって、前記請求項１から請求項３に記載の平坦な底部を有し、梁上に自立した状態で安定して載置可能な取付金物を梁上に載置する際、予め軽量気泡コンクリートパネルが梁上に敷き込まれており、該軽量気泡コンクリートパネル側面に前記取付金物を略当接させるとともに、該取付金物が軽量気泡コンクリートパネルに接していない３側面の下部において梁に溶接固定した後、別の軽量気泡コンクリートパネルを敷き詰める操作を順次繰り返すことを特徴とする軽量気泡コンクリートパネルの取付方法。
【発明の詳細な説明】
【技術分野】
【０００１】
本発明は建築物の屋根・床として軽量気泡コンクリート（ＡＬＣ）パネル（以下、ＡＬＣパネル、あるいは単にパネルという。）等を使用する場合におけるパネルの取付構造に関するものである。
【背景技術】
【０００２】
建築物の屋根・床としてＡＬＣパネル等を使用する場合において、建築躯体の梁上に複数のパネルを水平方向に敷き並べ、パネルを該梁に固着する方法としては、従来から湿式工法の取付構造が採用されている。すなわち、モルタル等を使用して両者を接合する湿式工法において、取付金物であるスラブプレート、マルカン等の両側下部を梁に溶接固定する構造である。
【０００３】
また、床用または屋根用のＡＬＣパネルの目地部の連結構造として、従来から例えば図９に示すような構造が採用されている（例えば、特許文献１参照。）。
すなわち、図９に示すようにＨ型鋼の梁１の上部フランジ面上に複数のパネル２が敷設されており、そのパネル２の目地部２３の位置に固定金具であるスラブプレート２４の両側下部が梁１の上部フランジ面上に溶接されて固定されている。また、そのスラブプレート２４の上部には穴２７が設けられていて、目地鉄筋２５が挿通されているとともに、目地部２３にはモルタル２６が充填されている構造である。
【０００４】
図９における固定金具としては、図１０（ａ）に示すスラブプレート２４の他に、図１０（ｂ）に示すような丸カン２８を用いても良い。スラブプレート２４は平鋼片２０に上部に横長の穴２７をあけたものであり、丸カン２８は棒鋼２１をＬ字型に曲げ、一方の先端に穴２７を形成したものである。いずれも下端を梁１のフランジ面に溶接して固定する。これらの固定金具では、図中矢印の方向に倒れやすく、梁上に自立静止することは難しい。図１１は図１０（ａ）に示すスラブプレート２４を梁１の上部フランジ面上に溶接固定した状態を示す外観斜視図である。梁１の上部フランジ面上にスラブプレート２４の下端を溶接し、スラブプレート２４上部中央に設けた横長の穴２７に目地鉄筋２５を貫通させる。図中１８は溶接ビートを示す。
【先行技術文献】
【特許文献】
【０００５】
【特許文献１】特開平９−１７７１９５号公報
【発明の概要】
【発明が解決しようとする課題】
【０００６】
このようなパネルの取付構造において、取付金物の両側下部を梁に溶接固定するためには、パネルを敷き並べる前に予め金物を溶接固定しておく必要がある。この溶接作業は、高所にある細い梁上で多数の金物に対して行う必要があることから、足場が必要となり、高所作業となり危険、かつ作業能率も悪くなる。
また、スラブプレートは板厚が薄く、丸カンは底部が平坦ではないことから、梁上に自立した状態で載置することができないため、溶接作業において取付位置を調整し、垂直に自立させて溶接固定することが困難である。
この点を改良するため、図１２に示すようにスラブプレートの平鋼片の平面に、転倒を防止するための突出片２２を形成することも提案されている。突出片２２は図１２（ａ）に示すように平鋼片の両端を直角に曲げ加工して形成しても良いし、あるいは図１２（ｂ）に示すように平鋼片の中央に溶接でつけても良い。このように、平面から直角に張り出した突出片を設けることにより、梁上面にスラブプレートが自立可能となり、梁上での作業時に両手は使えるようになるので、作業が容易になる。
図１３は、図１２（ａ）に示す固定金具３５を用いて梁１の上部フランジ面上に溶接固定した状態を示す外観斜視図である。梁１の上部フランジ面上に固定金具３５の下端を溶接し、固定金具３５上部中央に設けた横長の穴２７に目地鉄筋２５を貫通させる。図中１８は溶接ビートを示す。
【０００７】
図１２に示す固定金具は薄肉の板材で構成されており、固定金具を転倒させようとする力に対抗する金具自体の重量が軽く、金具が自立する上で不利な形状である。固定金具の厚さ方向の転倒しやすさは、金具の重心から端までの厚み方向距離が短いほど不利であるが、重心が平板体のある側にずれているため、平板体側への厚み方向の力に対しては転倒しやすい形状となっている。
本発明は、さらに進んでパネルを敷設した後に金物を溶接固定することを可能とし、よって溶接作業のための足場が不要となり、高所作業の危険性を軽減するとともに、作業能率の向上を図ることができる屋根・床パネルの取付構造を提供するものである。
本発明の固定金具は厚肉の板材で構成し、断面を矩形としさらに固定金具の厚さ寸法（従来技術の場合突出片の幅寸法）に対する金物重量の割合が大きくなるように構成してあり、重心は固定金具の厚み方向のほぼ中央にあるため転倒しにくい構造となっている。
【課題を解決するための手段】
【０００８】
本発明の一つは、軽量気泡コンクリートパネルを建物駆体の梁上に水平に敷き並べ、梁に固定した取付金物を介して軽量気泡コンクリートパネルを梁に固定する取付構造に使用するための取付金物であって、平坦な底部を有し、以て梁上に自立した状態で安定して載置可能に構成したパネルの取付金物とした。
本発明の取付金物は、厚さ８ｍｍ以上２０ｍｍ以下、長さ３０ｍｍ以上の平鋼板からなり、高さと厚さの比が３以下であることが好ましい。
取付金物をこのように構成することにより、取付金物が建物駆体の梁上に自立した状態で安定して載置可能になる。
また本発明の取付金物は、ナット部、ボルト部、貫通孔の内の少なくとも一つ以上を有することが好ましい。
ＡＬＣパネルを確実に固定するためである。
【０００９】
本発明のもう一つは、軽量気泡コンクリートパネルを梁上に水平に敷き並べ、建物駆体の梁に固定した取付金物を介して軽量気泡コンクリートパネルを梁に固定する取付構造であって、平坦な底部を有し、梁上に自立した状態で安定して載置可能な取付金物を建物駆体の梁に溶接固定し、以て軽量気泡コンクリートパネルを挟持してなるパネルの取付構造である。
本発明のパネルの取付構造においては、取付金物としてナット部、ボルト部、貫通孔の内の少なくとも一つ以上を有しているものを使用し、該取付金物に座金若しくは目地鉄筋を介して軽量気泡コンクリートパネルを挟持してなる取付構造とすることもできる。
このようなパネルの取付構造とすれば、パネルを敷設した後に金物を溶接固定することが可能となり、よって溶接作業のための足場が不要となり、高所作業の危険性も軽減するとともに、作業能率の向上を図ることができる。
【００１０】
さらに別の本発明の一つは、軽量気泡コンクリートパネルを建物駆体の梁上に水平に敷き並べ、梁に固定した取付金物を介して軽量気泡コンクリートパネルを梁に固定するパネルの取付方法であって、平坦な底部を有し、梁上に自立した状態で安定して載置可能な取付金物を梁上に載置する際、予め軽量気泡コンクリートパネルが梁上に敷き込まれており、該軽量気泡コンクリートパネル側面に前記取付金物を略当接させるとともに、該取付金物が軽量気泡コンクリートパネルに接していない３側面の下部において梁に溶接固定した後、別の軽量気泡コンクリートパネルを敷き詰める操作を順次繰り返す軽量気泡コンクリートパネルの取付方法である。
本発明の軽量気泡コンクリートパネルの取付方法によれば、建物駆体上で必要なパネルを順次施工することができるので、作業能率が良くなる利点がある。
【発明の効果】
【００１１】
本発明のパネルの取付構造によれば、取付金物の溶接固定において、片側下部と直交方向に巻き込み溶接を行う構造であるため、パネルを敷き込んだ後に取付金物を溶接固定することが可能となり、よって溶接作業を梁上に敷設したパネルに乗って行うことで足場が不要となり、高所作業の危険性を軽減するとともに、作業能率の向上を図ることができる。従って、本発明のパネルの取付構造は、特に屋根パネルや床パネル等の用途において極めて有用である。
【図面の簡単な説明】
【００１２】
【図１】本発明のパネルの取付構造の一例を示す一部破断斜視図である。
【図２】本発明の取付金物の一例を示す外観斜視図である。
【図３】図１の線Ａ−Ａ’に沿った断面図である。
【図４】本発明の取付金物の他の例を示す外観斜視図である。
【図５】図４に示す取付金物を使用した場合の断面図である。
【図６】本発明の取付金物の別の例を示す外観斜視図で、（ａ）は取付金物の一端にねじ穴を有するもの、（ｂ）は取付金物の中央部に縦方向のねじ穴を有し、ねじ穴の下端の直交方向に横穴を有するものである。
【図７】本発明のパネルの取付方法の施工手順を説明する図である。
【図８】本発明の取付金物を梁上に溶接固定する方法を説明する図で、（ａ）は図２に示した横長で上面にネジ穴７を備えた取付金物３を梁上に溶接固定する場合、（ｂ）は図４に示した縦長で平面に穴８を備えた取付金物３１を梁上に溶接固定する場合を示している。
【図９】従来のパネルの取付構造の一例を示す一部破断斜視図である。
【図１０】従来の固定金物の例を示す図で、（ａ）はスラブプレート、（ｂ）はマルカンを示す。
【図１１】図１０（ａ）のスラブプレートを梁上に溶接固定する方法を説明する図である。
【図１２】固定金物の改良例を示す図で、（ａ）はスラブプレートの両端に突出片を設けた例、（ｂ）は平板体の中央に突出片を設けた例を示す。
【図１３】図１２（ａ）に示す固定金物を使用して、パネルの目地部を固定する例を示す一部破断斜視図である。
【発明を実施するための形態】
【００１３】
次に本発明の具体例を図面に従って説明する。
なお、本発明で使用するパネルとしては、ＡＬＣパネル、中空パネルおよびＰＣパネルなどが挙げられ、これらを建築物の屋根または床として使用する場合があるが、以下はその代表例としてＡＬＣパネルを屋根として使用する場合について説明する。
まず、本発明のパネルの取付構造について説明する。
図１は本発明のパネルの取付構造の一例を示す一部破断斜視図である。本発明のパネルの取付構造１０は、座掘部２ｃを設けたＡＬＣパネル２を建築物駆体の梁１上に水平に配列し、該梁１上にネジ孔を有する取付金物３をネジ孔の軸方向が垂直になるように固定し、該取付金物３に座金４を介してボルト５を螺合させ、ＡＬＣパネル２を前記梁１と前記座金４との間で狭持した取付構造である。
【００１４】
図２は、図１に示す取付構造で使用した本発明の取付金物の一例を示す外観斜視図である。
図２に示す取付金物３は、平鋼片６からなり、上面６ａにネジ穴７が設けてある。また、取付金物５は安定して自立させ、かつ通常２０ｍｍ程度の目地幅に埋設させるためには厚さ（Ｗ）は８〜２０ｍｍ程度とするのが適当である。安定して自立させるためにはさらに取付金物の高さ（Ｈ）を、高さ（Ｈ）と厚さ（Ｗ）との比：Ｈ／Ｗを３以下に構成するのが好ましい。取付金物をこのように構成することにより、取付金物の重心位置は厚さ方向のほぼ中央になる。梁上に取り付け金物を安定して自立させるために、底面６ｂは平滑面にしておく必要がある。金具の長さ（Ｌ）は、溶接長を確保できるよう３０ｍｍ以上が望ましい。
【００１５】
図３は、図１の取付金物を含む線Ａ−Ａ’に沿った断面図である。図３に示すとおり建築物駆体の梁１上にネジ孔を有する取付金物３をネジ孔の軸方向が垂直になるように固定し、両側から座掘部２ｃを設けたＡＬＣパネル２を水平に配列し、該梁１上に該取付金物３に座金４を介してボルト５を螺合させ、ＡＬＣパネル２を前記梁１と前記座金４との間で狭持している。ここで取付金物３の背面はＡＬＣパネル２の一方の端面に当接し、取付金物３の他の面の下部は溶接により梁１に固定されている。図中１７は目地部を、１８は溶接ビートを示す。
【００１６】
図４は取付金物の他の例を示す外観斜視図である。図４に示す取付金物３１は、縦長の平鋼片からなり、平面６ｃの上部に穴８が設けてある。梁上で取付金物を安定して自立させるために、取付金物３１の底面６ｂも平滑面にしておく必要がある。また、取付金物３１は安定して自立させ、かつ通常２０ｍｍ程度の目地幅に埋設させるためには厚さ（Ｗ）は８〜２０ｍｍ程度とするのが適当である。安定して自立させるためにはさらに取付金物の高さ（Ｈ）を、高さ（Ｈ）と厚さ（Ｗ）との比：Ｈ／Ｗを３以下にするのが好ましい。取付金物をこのように構成することにより、取付金物の重心位置は厚さ方向のほぼ中央になる。梁上に取り付け金物を安定して自立させるために、底面６ｂは平滑面にしておく必要がある。金具の長さ（Ｌ）は、溶接長を確保できるよう３０ｍｍ以上が望ましい。
穴８は目地鉄筋２５を貫通させてＡＬＣパネルの目地部を固定するのに使用する。
【００１７】
図５は、取付金物３１を使用してＡＬＣパネルの目地部を固定する場合の取付金物を含む線に沿った断面図である。
建築物駆体の梁１上にネジ孔を有する取付金物３１をネジ孔の軸方向が垂直になるように固定し、両側からＡＬＣパネル２を水平に配列してある。取付金物３１の穴８には目地鉄筋２５を貫通させてあり、該目地鉄筋２５をＡＬＣパネルの目地部にくるように配置して、ＡＬＣパネルの目地部を固定している。ここでも取付金物３の背面はＡＬＣパネル２の一方の端面に当接し、取付金物３の他の面の下部は溶接により梁１に固定されている。図中１８は溶接ビートを示す。
【００１８】
図６は、取付金物の他の例を示す外観斜視図であって、（ａ）の取付金物３２はネジ穴７が取付金物上面３２ａの端部に設けられているもの、（ｂ）の取付金物３３は取付金物上面３３ａの中央にネジ穴７が、該ネジ穴７の下端にネジ穴７に直行する方向に穴８が取付金物の平面３３ｃに向けて貫通させてある。
これら（ａ）、（ｂ）の取付金物においても、安定して自立させかつ通常２０ｍｍ程度の目地幅に埋設させるためには厚さ（Ｗ）８〜２０ｍｍ程度とするのが適当である。安定して自立させるためにはさらに取付金物の高さ（Ｈ）を、高さ（Ｈ）と厚さ（Ｗ）との比：Ｈ／Ｗを３以下にするのが好ましい。取付金物をこのように構成することにより、取付金物の重心位置は厚さ方向のほぼ中央になる。梁上に取り付け金物を安定して自立させるために、底面３３ｂは平滑面にしておく必要がある。金具の長さ（Ｌ）は、溶接長を確保できるよう３０ｍｍ以上が望ましい。
【００１９】
図７は、本発明のパネルの取り付け方法の施工手順を説明する図である。
まず、梁１上にＡＬＣパネル２−１、２−１，・・・を敷き込む。次に取付金物３−１，３−１・・・をＡＬＣパネル２−１、２−１，・・・の短辺小口面に当接させて梁上に載置する。しかる後に取付金物３−１，３−１・・・の片側下部を直交方向に巻き込み溶接を行う。なお、この溶接作業は、通常は作業用足場を組まずに作業者がパネル上に乗った状態で行う。
取付金物３−１，３−２は、平坦な底部を有し安定した形状をなしているので、梁上に鉛直に自立することができる。梁上に鉛直に自立することで角度を正確に保ちながら溶接できる。
取付金物の固定方法としては溶接が一般的であり、梁上に敷き込んだパネル上に乗って溶接作業を行うことで、作業用足場を組む必要がなくなり、かつ安全である。前記取付金物を梁上に載置する際、予めパネルが梁上に敷き込まれており、該パネル側面に取付金物を略当接させるとともに、取付金物がパネルに接していない３側面の下部を梁に溶接固定することで強度が確保できる。
【００２０】
図８は、取付金物を梁上に溶接固定する方法を説明する図である。図８（ａ）は図２に示した横長で上面にネジ穴７を備えた取付金物３を溶接固定する場合、図８（ｂ）は図４に示した縦長で平面に穴８を備えた取付金物３１を溶接固定する場合を示している。いずれの場合にも、取付金物の背面をＡＬＣパネルの小口面に当接させ、取付金物下端の３方を直交方向に巻き込み溶接を行うことが有効である。
図中１８は溶接ビートである。
【００２１】
取付金物３−１，３−１・・・の溶接固定が終わったら、次のＡＬＣパネル２−２、２−２，・・・を梁１上に敷き込む。しかる後上記と同様にして取付金物３−２，３−２・・・をＡＬＣパネル２−２、２−２，・・・の短辺小口面に当接させて梁上に載置し、取付金物がパネルに接していない３側面の下部を梁に溶接固定する。
以上の作業を繰り返し、必要なＡＬＣパネルを敷き込む。
【００２２】
本発明のＡＬＣパネルの取付方法によれば、取付金物を溶接固定する際に、取付金物の片側下部を直交方向に巻き込み溶接を行う方法であるため、ＡＬＣパネルを敷き込んだ後に金物を溶接固定することが可能となり、よって溶接作業を梁上に敷設したＡＬＣパネルに乗って行うことで足場が不要となり、高所作業の危険性を軽減するとともに、作業能率の向上を図ることができる。従って、特に屋根パネルや床パネル等の用途において極めて有用である。
【符号の説明】
【００２３】
１  梁
２  ＡＬＣパネル
３  取付金物
４  座金
５  ボルト
６  平鋼片
７  ネジ穴
８、２７  穴
１０  取付構造
１７  目地部
１８  溶接ビート
２０  平鋼片
２１  丸棒鋼
２２  突出片
２４  スラブプレート
２５  目地鉄筋
２８  丸カン
３１、３２、３３、３４  取付金物
【図１】
2010275745.tif 000003
【図２】
2010275745.tif 000004
【図３】
2010275745.tif 000005
【図４】
2010275745.tif 000006
【図５】
2010275745.tif 000007
【図６】
2010275745.tif 000008
【図７】
2010275745.tif 000009
【図８】
2010275745.tif 000010
【図９】
2010275745.tif 000011
【図１０】
2010275745.tif 000012
【図１１】
2010275745.tif 000013
【図１２】
2010275745.tif 000014
【図１３】
2010275745.tif 000015